(57)【要約】【課題】  本発明は、極めて商品価値の高い画期的な眼球用レンズ，メガネ及び眼球用レンズを提供することを目的とする。【解決手段】  メガネレンズやコンタクトレンズなどの眼球用レンズ１であって、前記眼球用レンズ１を介して対象物２を見た際、対象物２とともに該対象物２の虚像体３が見えるように構成したものである。【選択図】      図２
2007047679.tif 000002
【特許請求の範囲】
【請求項１】
メガネレンズやコンタクトレンズなどの眼球用レンズであって、前記眼球用レンズを介して対象物を見た際、対象物とともに該対象物の虚像体が見えるように構成したことを特徴とする眼球用レンズ。
【請求項２】
眼球用レンズに入射する光を反射若しくは屈折させて対象物とともに虚像体がこの対象物と並設状態若しくは対象物とともに連続した状態に見える虚像体形成部を設けた構成としたことを特徴とする請求項１記載の眼球用レンズ。
【請求項３】
対象物からの光を透過して対象物が見えるとともに、対象物から異なる方向に向かう光を反射若しくは屈折させて該対象物の虚像体を対象物と同時に見えるように前記虚像体形成部を構成したことを特徴とする請求項２記載の眼球用レンズ。
【請求項４】
前記眼球用レンズの所定位置に光を反射する光反射部を設けて前記虚像形成部を構成したことを特徴とする請求項２，３のいずれか１項に記載の眼球用レンズ。
【請求項５】
前記眼球用レンズの所定位置に光を屈折する光屈折部を設けて前記虚像体形成部を構成したことを特徴とする請求項２，３のいずれか１項に記載の眼球用レンズ。
【請求項６】
請求項２〜５のいずれか１項に記載の眼球用レンズにおいて、前記虚像体形成部を隠蔽する隠蔽フィルムを設けたことを特徴とする眼球用レンズ。
【請求項７】
前記眼球用レンズを介して一つの対象物を見た際、対象物とともに該対象物の虚像体が複数並列状態で見えるように構成されていることを特徴とする請求項１〜６のいずれか１項に記載の眼球用レンズ。
【請求項８】
左右一対の眼球用レンズのうち、一方の眼球用レンズを介した目には対象物からの光が透過して見え、他方の眼球用レンズを介した目には対象物から異なる方向に向かう光が反射若しくは屈折して見えるように設けて、対象物とともに該対象物の虚像体が見えるように構成したこと特徴とする眼球用レンズ。
【請求項９】
メガネレンズやコンタクトレンズなどの眼球用レンズであって、左右一対の眼球用レンズを介して複数の対象物を見た際、対象物とともに該対象物夫々の虚像体が見えるように構成されていることを特徴とする眼球用レンズ。
【請求項１０】
請求項１〜９いずれか１項に記載の眼球用レンズをメガネレンズとして具備することを特徴とするメガネ。
【請求項１１】
メガネレンズやコンタクトレンズなどの眼球用レンズに付設される付設体であって、前記眼球用レンズに付設された状態で該眼球用レンズを介して対象物を見た際、対象物とともに該対象物の虚像体が見えるように構成されていることを特徴とする眼球用レンズに付設される付設体。
【発明の詳細な説明】
【技術分野】
【０００１】
本発明は、眼球用レンズ，メガネ及び眼球用レンズに付設される付設体に関するものである。
【背景技術】
【０００２】
ゴルフのパッティングを行なう場合、プレーヤーはグリーンの傾斜，芝目，湿り気や風の強さなどの天候を考慮してボールが転がるライン（軌道）をイメージし、続いて、ボールとカップを交互に見ながらボールを打つ方向や強さを決めてパターでボールを打つのが一般的なルーチンである。
【０００３】
しかしながら、実際にパターでボールを打つ際には、真下（足元）にあるボールに視点を合わせて打つことになる為、特にカップが遠い場合はパターフェースを目標（カップ）に向かって真っ直ぐにストロークさせることが難しい。これはゴルファーであれば誰もが経験する悩みの一つである。
【０００４】
そこで、従来においても、この悩みを解消する種々の工夫をメガネに具備せしめたものが提案されている。
【０００５】
例えば、実用新案第３０９９８９０号，実用新案第３０４６５１８号，実用新案第３０５００６３号及び特許公開２００５−１２５１０３号などに開示されるレンズに線を引いたりフィルムを貼ったりするなどのマーカーを付けたものがある。
【０００６】
【特許文献１】実用新案第３０９９８９０号公報
【特許文献２】実用新案第３０４６５１８号公報
【特許文献３】実用新案第３０５００６３号公報
【特許文献４】特許公開２００５−１２５１０３号公報
【発明の開示】
【発明が解決しようとする課題】
【０００７】
ところが、いずれも実際にそれらマーカーが付けられたレンズを介してボールに視点を合わせると、マーカーがぼやけてしまいマーカーとしての機能を発揮しないのが現状である。
【０００８】
本発明者は、上述の問題点に着目し、種々の実験・研究を重ねた結果、従来にない作用効果を発揮する極めて商品価値の高い画期的な眼球用レンズ，メガネ及び眼球用レンズに付設される付設体を開発した。
【課題を解決するための手段】
【０００９】
添付図面を参照して本発明の要旨を説明する。
【００１０】
メガネレンズやコンタクトレンズなどの眼球用レンズ１であって、前記眼球用レンズ１を介して対象物２を見た際、対象物２とともに該対象物２の虚像体３が見えるように構成したことを特徴とする眼球用レンズに係るものである。
【００１１】
また、眼球用レンズ１に入射する光を反射若しくは屈折させて対象物２とともに虚像体３がこの対象物２と並設状態若しくは対象物２とともに連続した状態に見える虚像体形成部８を設けた構成としたことを特徴とする請求項１記載の眼球用レンズに係るものである。
【００１２】
また、対象物２からの光を透過して対象物２が見えるとともに、対象物２から異なる方向に向かう光を反射若しくは屈折させて該対象物２の虚像体３を対象物２と同時に見えるように前記虚像体形成部８を構成したことを特徴とする請求項２記載の眼球用レンズに係るものである。
【００１３】
また、前記眼球用レンズ１の所定位置に光を反射する光反射部４を設けて前記虚像形成部８を構成したことを特徴とする請求項２，３のいずれか１項に記載の眼球用レンズに係るものである。
【００１４】
また、前記眼球用レンズ１の所定位置に光を屈折する光屈折部５を設けて前記虚像体形成部８を構成したことを特徴とする請求項２，３のいずれか１項に記載の眼球用レンズに係るものである。
【００１５】
また、請求項２〜５のいずれか１項に記載の眼球用レンズにおいて、前記虚像体形成部８を隠蔽する隠蔽フィルム６を設けたことを特徴とする眼球用レンズに係るものである。
【００１６】
また、前記眼球用レンズ１を介して一つの対象物２を見た際、対象物２とともに該対象物２の虚像体３が複数並列状態で見えるように構成されていることを特徴とする請求項１〜６のいずれか１項に記載の眼球用レンズに係るものである。
【００１７】
また、左右一対の眼球用レンズ１のうち、一方の眼球用レンズ１を介した目には対象物２からの光が透過して見え、他方の眼球用レンズ１を介した目には対象物２から異なる方向に向かう光が反射若しくは屈折して見えるように設けて、対象物２とともに該対象物２の虚像体３が見えるように構成したこと特徴とする眼球用レンズに係るものである。
【００１８】
また、メガネレンズやコンタクトレンズなどの眼球用レンズ１であって、左右一対の眼球用レンズ１を介して複数の対象物２，22を見た際、対象物２，22とともに該対象物２，22夫々の虚像体３，23が見えるように構成されていることを特徴とする眼球用レンズに係るものである。
【００１９】
また、請求項１〜９いずれか１項に記載の眼球用レンズをメガネレンズとして具備することを特徴とするメガネに係るものである。
【００２０】
また、メガネレンズやコンタクトレンズなどの眼球用レンズ１に付設される付設体であって、前記眼球用レンズ１に付設された状態で該眼球用レンズ１を介して対象物２を見た際、対象物２とともに該対象物２の虚像体３が見えるように構成されていることを特徴とする眼球用レンズに付設される付設体に係るものである。
【発明の効果】
【００２１】
本発明は上述のように構成したから、例えばゴルフのパッティングに際して使用した場合には、ボールを打ち出す方向を認識しながらボールを打つことができることになるなど極めて商品価値の高い画期的な眼球用レンズ，メガネ及び眼球用レンズに付設される付設体となる。
【発明を実施するための最良の形態】
【００２２】
好適と考える本発明の実施形態を、図面に基づいて本発明の作用を示して説明する。
【００２３】
眼球用レンズ１を介して対象物２を見た際、対象物２とともに該対象物２の虚像体３が見える。
【００２４】
具体的には、本発明を、例えば眼球用レンズ１としてメガネレンズに適用してゴルフのパッティングで使用した場合、パッティング姿勢に入って対象物２としてのボールを見た際、この対象物２としてのボールの他に該ボールの虚像体３（ボール）が見えることになる（あたかもグリーン上にボールが複数並んでいるように見える。）。
【００２５】
従って、前述した従来から提案されるものと異なり、対象物２としてのボールを見た場合に現れる虚像体３（ボール）が鮮明に見えてスパットとしての機能を十分に発揮することになる為、プレーヤーは正確なパッティングが行なえることになり、更に、この虚像体３はグリーン上のキズ等ではなく、ボールである為、より一層カップを狙うスパットとしての役割が発揮されることになる。
【００２６】
また、請求項２，３記載の発明においては、虚像体形成部８により確実に虚像体３が見える状態が得られることになる。
【００２７】
また、請求項４，５記載の発明においては、虚像体形成部８により確実に虚像体３を作出することができる。
【００２８】
また、請求項６記載の発明においては、虚像体形成部８を隠蔽することで美感に秀れることになる。
【００２９】
また、請求項７記載の発明においては、例えば眼球用レンズ１としてメガネレンズに適用してゴルフのパッティングで使用した場合、並設された目印ができることでラインが形成されることになり、より一層目印としての機能が発揮されることになる。
【００３０】
また、請求項８記載の発明においては、左右一対の眼球用レンズ１により確実に虚像体３が見える状態が得られることになる。
【００３１】
また、請求項９記載の発明のように、左右一対の眼球用レンズ１を介して複数の対象物２，22を見た際、対象物２，22とともに該対象物２，22夫々の虚像体３，23が見えるように構成した場合には、例えば眼球用レンズ１としてメガネレンズに適用してゴルフのパッティングで使用した場合、パッティング姿勢に入り、一方の眼球用レンズ１で一の対象物２としてのボールを見ると共に、他方の眼球用レンズ１で他の対象物22としてのカップ（穴）を見た際（実際には、ボールに視点が合った状態でカップは視野に入る程度の見え方となる）、一の対象物２としてのボールの他に該ボールの一の虚像体３（ボール）が見えるとともに、他の対象物22としてのカップの他に該カップの他の虚像体23（カップ）が見えることになるから、一の虚像体３（ボール）と他の虚像体23（カップ）を目印として対象物２としてのボールを打つことができ、しかも、ボールとカップとの相対的な位置関係を認識することもできる。
【００３２】
また、請求項１０記載の発明においては、所望のタイミングで適宜着用することで虚像体３が見える状態を得たいときに確実に得られることになる。
【００３３】
また、請求項１１記載の発明のように、眼球用レンズ１に付設された状態で該眼球用レンズ１を介して対象物２を見た際、対象物２とともに該対象物２の虚像体３が見えるように構成された眼球用レンズに付設される付設体を設けた場合、例えば既存のメガネレンズに付設するだけで前述した秀れた機能を発揮させることができることになる。
【実施例１】
【００３４】
本発明の具体的な実施例１について図面に基づいて説明する。
【００３５】
本実施例は、メガネレンズやコンタクトレンズなどの眼球用レンズ１であって、前記眼球用レンズ１を介して対象物２（実像体）を見た際、対象物２とともに該対象物２の虚像体３が見えるように構成されているものである。尚、本明細書で言うメガネレンズやコンタクトレンズ１とは、視力を調整し得る度付きのレンズに限らず、度無しのレンズも広く含む意味であり、また、本実施例では、対象物２がゴルフボールとなるゴルフ用のメガネに適用しているが、これに限らず、ゲートボール用やビリヤード用など本実施例の特性を発揮する構成であれば適宜設計し得るものである。
【００３６】
具体的には、図１に図示したように眼球用レンズ１としてメガネレンズに適用した場合であり、その素材はプラスチックが採用され、一体成形（射出成形や押出成形や注形重合法などの成形法）されている。尚、素材はガラスでも良いが成形の点を考慮するとプラスチックが望ましい。
【００３７】
また、眼球用レンズ１は、その所定位置に該眼球用レンズ１に入射する光を反射若しくは屈折させて対象物２とともに虚像体３がこの対象物２と並設状態若しくは対象物２とともに連続した状態に見える虚像体形成部８を設けており、対象物２からの光を透過して対象物２が見えるとともに、対象物２から異なる方向に向かう光を反射若しくは屈折させて該対象物２の虚像体３を対象物２と同時に見えるように前記虚像体形成部８を構成している。
【００３８】
具体的には、虚像体形成部８は、眼球用レンズ１に光を反射する光反射部４を設け、この光反射部４により虚像体３（反射像）が作出される。
【００３９】
この光反射部４は、図１に図示したように眼球用レンズ１の表面中央位置に凹溝７を形成して構成されている。尚、光反射部４は、眼球用レンズ１の裏面に設けても表裏面両面に設けても良く、左右一対のメガネレンズのうち一方に設けても双方に設けても良い。
【００４０】
この凹溝７は、眼球用レンズ１の上下方向に長さを有するように形成されており、この凹溝７の底から立ち上がる立ち上がり面が光反射部４に設定されている。この光反射部４以外の部位は光の反射率が低くそのまま透過する部位（対象物２を実像体として見える実像体看取部位）に設定されている。
【００４１】
この光反射部４は、図２に図示したように適宜な角度に設定されており、前述した実像体看取部位にて対象物２からの光を透過して対象物２が見えるとともに、光反射部４にて対象物２から異なる方向に向かう光を反射させて該対象物２の虚像体３を対象物２と同時に見えるように構成されている。この虚像体３が見える位置は目Ｅと各光反射部４を結ぶ線の延長上に位置することになる。
【００４２】
本実施例では、凹溝７を眼球用レンズ１の面方向にして左右方向に複数並設しており、この各凹溝７から成る光反射部４は夫々適宜な角度に設定されている。
【００４３】
従って、眼球用レンズ１を介して一つの対象物としてのボール２を見た際、ボール２とともに該ボール２の虚像体３（ボール）が所定間隔を介して複数並列状態で見えることになる。この光反射部４の間隔設定により虚像体３同士がくっついた連続した状態に見えるようにすることもできる。
【００４４】
尚、各凹溝７の形状や光反射部４の角度の設定により、虚像体３を直線状だけでなく湾曲状に並列状態としたり、虚像体３そのものの形状を楕円形状や棒形状、線状、点状などに変形させたりもできる。
【００４５】
図３は眼球用レンズ１の光反射部４の位置などを変えることによって、虚像体３が実像体２からどれくらいの距離に見えるかを計算した一例である。
【００４６】
光反射部４の位置、プレーヤーの目線の高さ及び光反射部４と目の間の距離から式ａ〜ｄを使って虚像体３（ボール）の位置を決めることができる。
【００４７】
例えば虚像体３（ボール）を対象物２としてのボールから３０ｃｍの距離に見えるようにしたい場合、プレーヤーの目線の高さが１６０ｃｍ、光反射部４と目Ｅの間の距離が０．５ｃｍの場合、目Ｅの中心線から光反射部４までの距離を約０．１ｃｍとなるようにすれば良い。
【００４８】
また、複数の光反射部４の形成方法として、図５に図示したように複数の段部８を形成して、この段部８により眼球用レンズ１の厚み方向に光反射部４を複数並設して複数の虚像体３が作出されるようにしても良いし、図６に図示したように複数の貫通孔９を形成して、この貫通孔９により眼球用レンズ１の面方向に光反射部４を複数並設して複数の虚像体３が作出されるようにしても良い。
【００４９】
また、光反射部４の形成方法として、前述したレンズに一体成形する場合に限られるものではない。
【００５０】
即ち、光反射部４を形成する場合、前述した凹溝を設ける場合など凹凸形状による光反射部４を形成したり、光反射率の良好な薄膜を積層構造として光反射部４を形成したり、素材（材質）により光反射部４を形成したりすることができる。
【００５１】
また、本実施例は、眼球用レンズ１の表面に接着され、光反射部４を隠蔽する隠蔽フィルム６を設けている。
【００５２】
この隠蔽フィルム６は、図４に図示したように適宜な合成樹脂製の部材（ポリエチレン）で形成されたものであり、有色透明タイプ或いはハーフミラータイプが良いと考えられる。
【００５３】
従って、美感を損なうことなく通常のメガネとして使用することができる。
【００５４】
また、メガネに設ける左右一対の眼球用レンズ１のうち、一方の眼球用レンズ１を介した目には対象物２からの光が透過して見え、他方の眼球用レンズ１を介した目には対象物２から異なる方向に向かう光が反射若しくは屈折して見えるように設けて、対象物２とともに該対象物２の虚像体３が見えるように構成しても良い（一つの眼球用レンズ１に実像体看取機能と虚像体看取機能の双方を設けるのではなく、左右一対の眼球用レンズ１のうち、一方の眼球用レンズ１に実像体看取機能を付与し、他方の眼球用レンズ１に虚像体看取機能を設けた場合である。）。
【００５５】
本実施例は上述のように構成したから、対象物２としてのボールを見た際に現れる虚像体３（ボール）が鮮明に見えて目印としての機能を十分に発揮することになる為、プレーヤーは正確なパッティングが行なえることになり（パッティングの練習法として近くに置いたボールに打ったボールをぶつける練習法があり、これはプレーヤーであれば目標としてイメージし易く、その動作も極めて簡易に行なえる。）、しかも、この虚像体３（ボール）が目印となるだけでなく、打った後のボールの状態をイメージできることになる為、これが良いイメージトレーニングとなってプレーヤーの自信にもつながり、結果として正確なパッティングが行なえることになる。
【実施例２】
【００５６】
本発明の具体的な実施例２について図面に基づいて説明する。
【００５７】
実施例２は、眼球用レンズ１の所定位置に光を屈折する光屈折部５を設け、この光屈折部５により虚像体３（屈折像）が作出されるように構成したものである。
【００５８】
具体的には、図７に図示したように眼球用レンズ１にプリズム機能を発揮する部位を形成したものであり、眼球用レンズ１の面方向に光屈折部５を複数並設して複数の虚像体３が作出されるように構成されている。
【００５９】
図８は、光屈折部５の頂角や屈折率などを変えることによって、虚像体３（ボール）が実像体としてのボール２からどれくらいの距離に見えるかを計算した一例である。
【００６０】
プレーヤーの目線の高さ、光屈折部５と目の間の距離及び光屈折部５の頂角や屈折率から式ｅ，ｆを使って虚像体としてのボール３の位置を決めることができる。
【００６１】
例えば、虚像体３（ボール）を実像体としてのボール２から３０ｃｍの距離に見えるようにしたい場合、プレーヤーの目線の高さが１６０ｃｍ、光屈折部５と目Ｅの間の距離が０．５ｃｍ、光屈折部５の屈折率が１．３の場合、頂角が約４０度の光屈折部５をレンズに設ければ良い。
【００６２】
その余は実施例１と同様である。
【実施例３】
【００６３】
本発明の具体的な実施例３について図面に基づいて説明する。
【００６４】
実施例３は、左右一対の眼球用レンズ１を介して複数の実像体２，22を見た際、実像体２，22とともに該実像体２，22夫々の虚像体３，23が見えるように構成されているものである。
【００６５】
具体的には、所定間隔を介して離れた二つの実像体２，22、例えばゴルフボールとカップ夫々に虚像体３，23を作出する部位を左右の眼球用レンズ１に夫々分けて設けて構成されており、一方の眼球用レンズ１には、ボール用の光反射部４若しくは光屈折部５を設け、他方の眼球用レンズ１には、図９に図示したようにカップ用の光反射部４若しくは光屈折部５を設けている。
【００６６】
従って、虚像体３（ボール）と虚像体23（カップ）を目標として実像体２としてのボールを打つことができ、しかも、ボールとカップとの相対的な位置関係を認識することができる。尚、本実施例では、実像体としてのボール２と実像体としてのカップ22との間に虚像体３，23が作出されるようにしているが、それ以外の位置に虚像体３，23が作出されるようにしても良い。
【００６７】
その余は実施例１と同様である。
【実施例４】
【００６８】
本発明の具体的な実施例４について図面に基づいて説明する。
【００６９】
実施例４は、メガネレンズやコンタクトレンズなどの眼球用レンズ１に付設されるものであって、眼球用レンズ１に付設された状態で該眼球用レンズ１を介して実像体２を見た際、実像体２とともに該実像体２の虚像体３が見えるように構成されている。
【００７０】
具体的には、図10に図示したように眼球用レンズ１に貼着し得る構造体10に実施例１で述べたような光反射部４を設けたものである。尚、構造体10に光屈折部５を設けても良い。
【００７１】
従って、例えば既存のメガネレンズに付設するだけで前述した秀れた機能を発揮させることができることになる。
【００７２】
その余は実施例１と同様である。
【００７３】
尚、本発明は、実施例１，２，３，４に限られるものではなく、各構成要件の具体的構成は適宜設計し得るものである。
【図面の簡単な説明】
【００７４】
【図１】実施例１を示す斜視図である。
【図２】実施例１の説明図である。
【図３】実施例１の説明図である。
【図４】実施例１の説明図である。
【図５】実施例１の説明図である。
【図６】実施例１の説明図である。
【図７】実施例２の説明図である。
【図８】実施例２の説明図である。
【図９】実施例３の説明図である。
【図１０】実施例４の説明図である。
【符号の説明】
【００７５】
１  眼球用レンズ
２  対象物
３  虚像体
４  光反射部
５  光屈折部
６  隠蔽フィルム
８  虚像体形成部
22  対象物
23  虚像体
【図１】
2007047679.tif 000003
【図２】
2007047679.tif 000004
【図３】
2007047679.tif 000005
【図４】
2007047679.tif 000006
【図５】
2007047679.tif 000007
【図６】
2007047679.tif 000008
【図７】
2007047679.tif 000009
【図８】
2007047679.tif 000010
【図９】
2007047679.tif 000011
【図１０】
2007047679.tif 000012